(57)【特許請求の範囲】
【請求項１】
Ｘ線画像情報をフラットパネルディテクタに捕獲し、このフラットパネルディテクタからＸ線画像情報を画像信号として取り出し、レーザ光強度に変換し、ハロゲン化銀写真感光材料に走査露光後、現像処理を行って得られたＸ線写真画像において、カブリ＋０．０５からカブリ＋０．５におけるガンマ値（γ１）が０．３〜０．７５である特性曲線を示すことを特徴とするＸ線画像形成方法。
【請求項２】
カブリ＋０．５からカブリ＋２．５におけるガンマ値（γ２）が１．７〜２．６である特性曲線を示すことを特徴とする請求項１に記載のＸ線画像形成方法。
【請求項３】
ローラ搬送型自動現像機を用いて現像処理することを特徴とする請求項１又は２に記載のＸ線画像形成方法。
【発明の詳細な説明】
【０００１】
【発明の属する技術分野】
本発明はＸ線画像情報をフラットパネルディテクタで捕獲し、そのフラットパネルディテクタからＸ線画像情報を画像信号として取り出し、その信号をデジタル変換し、更にレーザ光強度に変換後、ハロゲン化銀写真感光材料に露光、現像処理してＸ線写真画像を形成する画像形成方法に関する。
【０００２】
【従来の技術】
医療診断用のＸ線画像撮影に用いられるシステムとしては、ハロゲン化銀写真フィルムを蛍光増感紙に密着させ、Ｘ線画像を露光し、自動現像機で現像、定着、水洗、乾燥する画像形成システムが従来より一般的に使われてきた。
【０００３】
一方、近年、Ｘ線画像情報を輝尽性蛍光体プレートに露光し、その後該プレートにレーザ光を走査露光することで輝尽性蛍光体プレートに蓄積された画像情報を光信号として取り出し電気信号に変換後、再び光信号としてハロゲン化銀写真フィルムに走査記録し、自動現像機で現像、定着、水洗、乾燥する画像形成システムが使用されるようになった。
【０００４】
このシステムは、従来のスクリーン／フィルムシステムに比較してＸ線露光量の許容範囲が広く、また画像信号をＣＲＴモニタなどを使用することで確認することも可能であり、ハロゲン化銀感光材料に走査露光する際の光量を調整できるため、露光量の過不足による撮影のやり直しが低減したり、画像のエッジ強調などのデータ変調を行うことで、仕上がりの調子を変えられるメリットがあった。
【０００５】
しかし、一方で、たとえば肺野に生じる極初期の癌のＸ線画像は従来のスクリーン／フィルムシステムを用いている診断者にとっては、スリガラス状の陰影として検知されるが、上記の輝尽性蛍光体を用いたシステムではスリガラス状の陰影が欠落してしまい、極初期の癌が検知されにくいという重大な課題があった。
【０００６】
この課題は、生存率の高い極初期の癌の陰影ほどその大きさが小さく検知されにくくなるので、結局、医師の早期発見が遅れ、検知できたときには生存率が大きく低下してしまうことになりかねない極めて大きな問題であった。
【０００７】
【発明が解決しようとする課題】
本発明の目的は、再撮影などの患者さんの負荷を低減できるＸ線写真画像の形成方法であり、かつ、初期の肺ガンにみられるスリガラス状の陰影の検出力が高いＸ線写真画像の形成方法を提供することである。
【０００８】
【課題を解決するための手段】
本発明の目的は下記の項目１〜３によって達成された。
【０００９】
１．Ｘ線画像情報をフラットパネルディテクタに捕獲し、このフラットパネルディテクタからＸ線画像情報を画像信号として取り出し、レーザ光強度変化に変換し、ハロゲン化銀写真感光材料に走査露光後、現像処理を行って得られたＸ線写真画像において、カブリ＋０．０５からカブリ＋０．５におけるガンマ値（γ１）が０．３〜０．７５である特性曲線を示すことを特徴とするＸ線画像形成方法。
【００１０】
２．カブリ＋０．５からカブリ＋２．５におけるガンマ値（γ２）が１．７〜２．６である特性曲線を示すことを特徴とする前記１に記載のＸ線画像形成方法。
【００１１】
３．ローラ搬送型自動現像機を用いて現像処理することを特徴とする前記１又は２に記載のＸ線画像形成方法。
【００１２】
以下、本発明を詳細に説明する。
【００１３】
本発明に用いられるフラットパネルディテクタを用いたＸ線画像形成方法及びＸ線画像形成システムの実施の形態を、図面に基づいて説明するが、本発明はこれらに限定されない。
【００１４】
図１はＸ線画像形成システムの概略構成図、図２はフラットパネルディテクタ（ＦＰＤ）を示す概略断面図、図３はフラットパネルディテクタ（ＦＰＤ）を示す概略平面図である。
【００１５】
Ｘ線画像形成システムは、図１に示すように、Ｘ線管１から照射されるＸ線により被写体６０の撮影を行い、Ｘ線画像情報をフラットパネルディテクタ（ＦＰＤ）２に捕獲する。このフラットパネルディテクタ（ＦＰＤ）２からＸ線画像情報を画像信号として取り出し、画像処理部３で画像処理してネットワーク４に送る。ネットワーク４にはＣＲＴディスプレイ５やレーザイメージャ６等が接続されており、ＣＲＴディスプレイ５にＸ線画像を表示したり、レーザイメージャ６でＸ線画像をプリントして出力する。
【００１６】
フラットパネルディテクタ（ＦＰＤ）２は、図２及び図３に示すように構成される。
【００１７】
フラットパネルディテクタ（ＦＰＤ）２は、図２に示すように、誘電基板層２０に、光導電層２１、誘電層２２、前面導電層２３を順に積層して構成される。ガラス板等の誘電基板層２０上には、複数の第１の微小導電電極マイクロプレート２４が設けられる。複数の第１の微小導電電極マイクロプレート２４上には、静電容量誘電材２５が形成されている。フラットパネルディテクタ（ＦＰＤ）２から誘電層２２を除いてもＸ線画像を形成することができ、この発明を実現できるが、この場合は、電荷蓄積キャパシタ３６で蓄積された電荷量の保持性やＸ線画像の鮮鋭度が多少は低下する可能性がある。
【００１８】
更に、誘電基板層２０上には、２個の電極２６，２７とゲート２８を有する複数のトランジスタ２９が積層されている。更に、誘電基板層２０上には、複数の第２の微小導電電極マイクロプレート３０が積層されている。
【００１９】
図３に示すように、少なくとも１つのトランジスタ２９は、複数の第２の微小導電電極マイクロプレート３０をＸアドレスライン４１とＹセンスライン４２に接続している。電荷蓄積キャパシタ３６は、第１の微小導電電極マイクロプレート２４、第２の微小導電電極マイクロプレート３０及び静電容量誘電材２５によって形成されている。第２の微小導電電極マイクロプレート３０はトランジスタ２９の電極２７にも接続されている。第１の微小導電電極マイクロプレート２４はアースに接続されている。
【００２０】
トランジスタ２９は双方向スイッチの働きをし、バイアス電圧がＸアドレスライン４１を介してゲートに印加されたかどうかに応じて、Ｙセンスライン４２と電荷蓄積キャパシタ３６との間に電流を流す。
【００２１】
複数の第２の微小導電電極マイクロプレート３０間のスペースには、導電電極又はＸアドレスライン４１、及び導電電極又はＹセンスライン４２が配置されている。Ｘアドレスライン４１とＹセンスライン４２は、図のように相互に対してほぼ直交するように配置されている。Ｘアドレスライン４１とＹセンスライン４２は、リード線又はコネクタを通して、フラットパネルディテクタ（ＦＰＤ）２のサイド又はエッジに沿って個別にアクセス可能になっている。
【００２２】
Ｘアドレスライン４１の各々は、バイアス電圧をラインにしたがって、アドレスされるＸアドレスライン４１に接続されたトランジスタ２９のゲートに印加することによって順次にアドレスされる。これにより、トランジスタ２９は導通状態になり、対応する電荷蓄積キャパシタ３６に蓄積された電荷はＹセンスライン４２に流れると共に、電荷検出器４６の入力側に流れる。電荷検出器４６はＹセンスライン４２上で検出された電荷に比例する電圧出力を発生する。電荷検出器４６の出力は順次にサンプリングされて、アドレスしたＸアドレスライン４１上のマイクロキャパシタの電荷分布を表す画像信号が得られ、各マイクロキャパシタは１つのイメージ画素を表す。Ｘアドレスライン４１上の画素のあるラインから信号が読み出されると、電荷増幅器はリセットライン４９を通してリセットされる。次のＸアドレスライン４１がアドレスされ、このプロセスは、すべての電荷蓄積キャパシタ３６がサンプリングされて、イメージ全体が読み出されるまで繰り返される。
【００２３】
このように、フラットパネルディテクタからＸ線画像情報を画像信号として取り出し、レーザ光強度に変換し、感光性ハロゲン化銀粒子を含有するハロゲン化銀写真感光材料に記録し、現像、定着、水洗、乾燥することによりＸ線画像を得る装置により、例えばマンモグラフィや四肢骨等に要求される高い鮮鋭性の高画質のＸ線画像を迅速に且つ確実に得ることができる。
【００２４】
本発明に用いられるハロゲン化銀写真感光材料について説明する。
【００２５】
本発明に用いられるハロゲン化銀写真感光材料はレーザ走査露光し、現像処理した時に得られるＸ線写真画像の特性曲線が、カブリ＋０．０５からカブリ＋０．５のガンマ値（γ１）が０．３〜０．７５を示すハロゲン化銀写真感光材料であることを特徴とする。
【００２６】
本発明においては、前記特性曲線のガンマ値を示す写真感光材料を使用するときに、Ｘ線画像形成システムとして診断用として最適な画質を得ることが出来る。特に肺ガンの初期に見られるような、スリガラス状の陰影については、その効果が著しい。このスリガラス状の陰影は、初期のものに関しては、その大きさが約５ｍｍ程度と小さく、且つ、正常な部分との境界が明瞭ではないため、非常に読影する事が難しい。一般的には、Ｘ線画像形成システムの鮮鋭性が向上すれば、判別能は向上する。しかし、これは周囲との境界が明瞭な病変や、四肢骨の骨稜の診断の場合であり、前記のような初期の肺ガンに見られるスリガラス状の陰影では、単に鮮鋭性が向上しても診断能が向上するとは限らない。
【００２７】
すなわち、鮮鋭性が向上するにつれ、粒状の〔あれ〕が目立ち、診断能が損なわれるからである。
【００２８】
粒状性を改善するためには、撮影に用いるＸ線量を高めることで改善されるが、これは被爆量をあげることになり、人体に対するダメージが大きくなり、医療の現場で採用することは出来ない。
【００２９】
そこで、鋭意研究の結果、本発明で規定している前記のガンマ値を有する感光材料を用いることにより、粒状の〔あれ〕が改善されることがわかった。
【００３０】
また、この効果は、高鮮鋭度の画像情報が得られる画像形成システム、即ち、フラットパネルディテクタからＸ線画像情報を画像信号として取り出し、レーザ光強度変化に変換し、記録材料に記録するという本発明に用いられる画像形成システムにおいて、顕著に現れることがわかった。
【００３１】
本発明に用いられる感光材料のガンマの測定方法は、次のようにして測定した。
【００３２】
用いる感光材料の感色性に適合したレーザ光源を搭載するレーザイメージャまたはレーザスキャナを用いて、露光エネルギーを１０0.1倍ずつステップ状に変化させ、ウエッジ露光する。露光は温度２３℃±３℃、相対湿度５０％±１０％の環境下で行う。露光後直ちに、画像形成に用いる現像処理システムで処理を行う。本発明に用いる感光材料のガンマの測定には、実際に診断に用いる画像を形成する処理システム（自動現像機、処理薬品、処理温度、処理時間）で処理したものを測定する。
【００３３】
得られた試料の各段の濃度を測定し、横軸に対数変換した露光エネルギー、縦軸に対数変換した濃度プロットのグラフにプロットし、次の式からガンマを算出する。
【００３４】
γ１＝（カブリ濃度＋０．５の濃度を与える露光量−カブリ濃度＋０．０５の濃度を与える露光量）／０．４５
γ２＝（カブリ濃度＋２．５の濃度を与える露光量−カブリ濃度＋０．５の濃度を与える露光量）／２
本発明に用いられるＸ線写真画像の特性曲線を得るには感光材料のハロゲン化銀乳剤粒子に感度分布を持たせる方法が挙げられるが、より具体的にはハロゲン化銀粒子の粒径分布を調製する方法、感度の異なる単分散乳剤を混合して使用する方法、感度の異なる乳剤層を２層以上重層する方法等が挙げられる。更には、処理液の組成や処理温度、処理時間を調整する方法など種々の方法を適用できる。
【００３５】
本発明に用いられるハロゲン化銀写真感光材料の乳剤層の膜厚は０．５〜２．５μｍの範囲が好ましく、０．８〜２．０μｍの範囲がより好ましい。該乳剤層の膜厚とは、支持体の両側に乳剤層を有する場合は、片側一方の乳剤層の膜厚を言い、片側に乳剤層が多層ある場合は、それら全層を合計した膜厚を言う。
【００３６】
膜厚は、２３℃、５０％ＲＨの雰囲気に少なくとも２時間放置し、この感光材料の断面の電子顕微鏡写真を用いて算出することが出来る。
【００３７】
本発明に用いられる感光材料に使用される乳剤は、公知の方法を用いて製造できる。結晶の晶癖は立方体、１４面体、８面体及び（１１１）面と、（１００）面等の面が任意に混在する、例えば、球状の形をしていてもよい。
【００３８】
ハロゲン化銀の結晶構造は、内部と外部が異なったハロゲン化銀組成からなっていてもよい。例えば、特開平２−８５８４６号等に開示されている内部高沃度型単分散粒子が挙げられる。
【００３９】
更にまた、本発明には平均アスペクト比が２以上の平板状粒子を用いることが好ましく、アスペクト比は３〜２０であることが更に好ましい。
【００４０】
本発明において、アスペクト比とは平板状粒子の主平面の直径（粒径）と厚みの比を言う。該平板粒子の主平面の直径とは、主平面の投影面積に等しい面積の円の直径を言う。本発明において平板状ハロゲン化銀粒子の主平面の直径は好ましくは０．０５〜２．０μｍ、更に好ましくは０．１〜１．５μｍ、特に好ましくは０．１５〜１．０μｍである。
【００４１】
一般に、平板状ハロゲン化銀粒子は、二つの平行な主平面を有する平板状であり、従って本発明における「厚み」とは平板状ハロゲン化銀粒子を構成する二つの平行な主平面の距離で表される。
【００４２】
本発明に用いられる平板状粒子の利点は、分光増感効率の向上、画像の粒状性及び鮮鋭性の改良などが得られるとして、例えば、英国特許第２，１１２，１５７号、米国特許第４，４３９，５２０号、同４，４３３，０４８号、同４，４１４，３１０号、同４，４３４，２２６号、特開昭５８−１１３９２７号、同５８−１２７９２１号、同６３−１３８３４２号、同６３−２８４２７２号、同６３−３０５３４３号等で開示されており、乳剤はこれらの公報に記載の方法により調製することができる。
【００４３】
更に米国特許４，０６３，９５１号、同４，３８６，１５６号、同５，２７５，９３０号、同５，３１４，７９８号に記載されている（１００）主平面を有する平板状粒子も好ましく用いられる。
【００４４】
本発明に用いられる更に好ましいハロゲン化銀乳剤は、沃化銀３モル％未満の沃臭化銀、沃塩臭化銀、臭化銀、塩臭化銀、塩化銀であり、特に好ましくは沃化銀の含有率が１．０モル％未満の臭化銀、沃臭化銀又は沃塩化銀である。上述した乳剤は、粒子表面に潜像を形成する表面潜像型或いは粒子内部に潜像を形成する内部潜像型、表面と内部潜像を形成する型の何れの乳剤であってもよい。
【００４５】
本発明に用いられるハロゲン化銀乳剤は単分散性であることが好ましく、更に平均体積粒径の変動係数が２０％以内の範囲、特に１０％以内の範囲に含まれるものが好ましく用いられる。本発明において、平均体積粒径とは、平板状粒子の場合は平板状粒子の体積を同体積を有する立方体の体積に換算して、個々の粒子の体積を換算した立方体の一辺の長さの平均を言う。その他の形状を有する粒子の場合も同じく換算する。尚、上記した立方体、１４面体の粒子と平板状粒子を混合して用いてもよい。
【００４６】
平均体積粒径の変動係数が１０％以内の範囲に含まれる単分散性乳剤を少なくとも１種用い、２種以上の乳剤を混合して使用する方法が好ましい。更には混合する複数の乳剤において最も高感度な乳剤に平板状乳剤を用い、最も低感度な乳剤に立方体乳剤を用いる方法である。
【００４７】
本発明に用いられるハロゲン化銀粒子には、Ｆｅ、Ｃｏ、Ｒｕ、Ｒｈ、Ｒｅ、Ｏｓ、Ｉｒから選ばれる金属の錯体を含有することが好ましく、１種類でも同種或いは異種の金属錯体を２種以上併用しても良い。
【００４８】
含有率としては、銀１モルに対し１×１０-9モルから１×１０-2モルの範囲が好ましく、１×１０-8モルから１×１０-4の範囲がより好ましい。本発明においては、遷移金属錯体は、下記一般式で表される６配位錯体が好ましい。
【００４９】
一般式（ＭＬ6）m
式中、Ｍは元素周期表の６〜１０族の元素から選ばれる遷移金属、Ｌは架橋配位子、ｍは０、１−、２−、３−又は４−を表す。Ｌで表される配位子の具体例としては、ハロゲン化物（弗化物、塩化物、臭化物及び沃化物）、シアン化物、シアナート、チオシアナート、セレノシアナート、テルロシアナート、アジド及びアコの各配位子、ニトロシル、チオニトロシル等が挙げられるが、アコ、ニトロシル及びチオニトロシル等が好ましく用いられる。
【００５０】
アコ配位子が存在する場合には、配位子の一つ又は二つを占めることが好ましい。Ｌは同一でもよく、また異なっていてもよい。
【００５１】
本発明において、Ｍとして、ロジウム（Ｒｈ）、ルテニウム（Ｒｕ）、レニウム（Ｒｅ）、オスミウム（Ｏｓ）及びイリジウム（Ｉｒ）が用いられている場合の好ましい具体例を下記に示す。
【００５２】
１：〔ＲｈＣｌ6〕3-
２：〔ＲｈＣｌ5（Ｈ2Ｏ）〕2-
３：〔Ｒｈ（ＮＯ）2Ｃｌ4〕-
４：〔Ｒｈ（ＮＯ）（Ｈ2Ｏ）Ｃｌ4〕-
５：〔Ｒｈ（ＮＳ）Ｃｌ5〕2-
６：〔ＲｕＣｌ6〕3-
７：〔ＲｕＢｒ6〕3-
８：〔Ｒｕ（ＮＯ）Ｃｌ5〕2-
９：〔Ｒｕ（ＮＯ）（Ｈ2Ｏ）Ｃｌ4〕-
１０：〔Ｒｕ（ＮＳ）Ｃｌ5〕2-
１１：〔ＲｕＢｒ4（Ｈ2Ｏ）〕2-
１２：〔Ｒｕ（ＮＯ）ＣＮ5〕2-
１３：〔ＲｅＣｌ6〕3-
１４：〔Ｒｅ（ＮＯ）Ｃｌ5〕2-
１５：〔Ｒｅ（ＮＯ）ＣＮ5〕2-
１６：〔Ｒｅ（ＮＯ）ＣｌＣＮ4〕2-
１７：〔Ｒｅ（ＮＯ）Ｃｌ5〕-
１８：〔Ｒｅ（ＮＳ）Ｃｌ4（ＳｅＣＮ）〕2-
１９：〔ＯｓＣｌ6〕3-
２０：〔Ｏｓ（ＮＯ）Ｃｌ5〕2-
２１：〔Ｏｓ（ＮＳ）Ｃｌ4（ＴｅＣＮ）〕2-
２２：〔Ｏｓ（ＮＳ）Ｃｌ（ＳＣＮ）4〕2-
２３：〔ＩｒＣｌ5〕2-
２４：〔Ｉｒ（ＮＯ）Ｃｌ5〕2-
クロム、コバルト、鉄の化合物については６シアノ金属錯体が好ましく用いられる。以下に具体例を示す。
【００５３】
２５：〔Ｃｒ（ＮＯ）Ｃｌ5〕2-
２６：〔ＣｒＣｌ6〕4-
２７：［Ｆｅ（ＣＮ）6］4-
２８：［Ｆｅ（ＣＮ）6]3-
２９：［Ｃｏ（ＣＮ）6］3-
これらの金属のイオン又は錯体イオンを提供する化合物は、ハロゲン化銀粒子形成時に添加し、ハロゲン化銀粒子中に組み込まれることが好ましく、ハロゲン化銀粒子の調製、つまり核形成、成長、物理熟成、化学増感の前後のどの段階で添加してもよいが、特に核形成、成長、物理熟成の段階で添加するのが好ましく、更には核形成、成長の段階で添加するのが好ましく、最も好ましくは核形成の段階で添加する。添加に際しては、数回に渡って分割して添加してもよく、ハロゲン化銀粒子中に均一に含有させることもできる。
【００５４】
乳剤は可溶性塩類を除去するためにヌードル水洗法、フロキュレーション沈降法、限外濾過法等の水洗方法がなされてよい。好ましい水洗法としては、例えば、特公昭３５−１６０８６号記載のスルホ基を含む芳香族炭化水素系アルデヒド樹脂を用いる方法、又は特開昭６３−１５８６４４号記載の凝集高分子剤例示Ｇ３，Ｇ８などを用いる方法が特に好ましい脱塩法として挙げられる。
【００５５】
本発明における感光性ハロゲン化銀粒子は化学増感されていることが好ましく、増感方法としてはイオウ増感、セレン増感、テルル増感、貴金属増感、還元増感等公知の増感法を用いることができる。
【００５６】
また、これら増感法は２種以上組み合わせて用いることもできる。イオウ増感にはチオ硫酸塩、チオ尿素化合物、無機イオウ等を用いることができる。セレン増感、テルル増感に好ましく用いられる化合物としては、特開平９−２３０５２７号記載の化合物を挙げることができる。貴金属増感法に好ましく用いられる化合物としては、例えば塩化金酸、カリウムクロロオーレート、カリウムオーリチオシアネート、硫化金、金セレナイド、或いは米国特許第２，４４８，０６０号、英国特許第６１８，０６１号等に記載されている化合物を挙げることができる。
【００５７】
還元増感法の具体的な化合物としてはアスコルビン酸、２酸化チオ尿素、塩化第１スズ、ヒドラジン誘導体、ボラン化合物、シラン化合物、ポリアミン化合物等を用いることができる。また、乳剤のｐＨを７以上又はｐＡｇを８．３以下に保持して熟成することにより還元増感することができる。
【００５８】
本発明に用いられるハロゲン化銀写真感光材料には、分光増感色素としてシアニン色素、メロシアニン色素、コンプレックスシアニン色素、コンプレックスメロシアニン色素、ホロポーラーシアニン色素、スチリル色素、ヘミシアニン色素、オキソノール色素、ヘミオキソノール色素等を用いることができる。例えば特開昭６３−１５９８４１号、同６０−１４０３３５号、同６３−２３１４３７号、同６３−２５９６５１号、同６３−３０４２４２号、同６３−１５２４５号、米国特許第４，６３９，４１４号、同第４，７４０，４５５号、同第４，７４１，９６６号、同第４，７５１，１７５号、同第４，８３５，０９６号に記載された増感色素が使用できる。
【００５９】
本発明に使用される有用な増感色素は例えばＲｅｓｅａｒｃｈ  Ｄｉｓｃｌｏｓｕｒｅ  Ｉｔｅｍ１７６４３IV−Ａ項（１９７８年１２月ｐ．２３）、同Ｉｔｅｍ１８３１Ｘ項（１９７８年８月ｐ．４３７）に記載もしくは引用された文献に記載されている。
【００６０】
特に各種レーザイメージャやスキャナの光源の分光特性に適した分光感度を有する増感色素を有利に選択することができる。例えば特開平９−３４０７８号、同９−５４４０９号、同９−８０６７９号記載の化合物が好ましく用いられる。有用なシアニン色素は、例えば、チアゾリン核、オキサゾリン核、ピロリン核、ピリジン核、オキサゾール核、チアゾール核、セレナゾール核及びイミダゾール核などの塩基性核を有するシアニン色素である。有用なメロシアニン染料で好ましいものは、上記の塩基性核に加えて、チオヒダントイン核、ローダニン核、オキサゾリジンジオン核、チアゾリンジオン核、バルビツール酸核、チアゾリノン核、マロノニトリル核及びピラゾロン核などの酸性核も含む。
【００６１】
上記記載の増感色素は単独に用いてもよいが、それらの組合せを用いてもよく、増感色素の組合せは、特に強色増感の目的でしばしば用いられる。増感色素とともに、それ自身分光増感作用をもたない色素或いは可視光を実質的に吸収しない物質であって、強色増感を示す物質を乳剤中に含んでもよい。
【００６２】
有用な増感色素、強色増感を示す色素の組合せ及び強色増感を示す物質はリサーチ・ディスクロージャ（Ｒｅｓｅａｒｃｈ  Ｄｉｓｃｌｏｓｕｒｅ）１７６巻１７６４３（１９７８年１２月発行）第２３頁IVのＪ項、或いは特公平９−２５５００号、同４３−４９３３号、特開昭５９−１９０３２号、同５９−１９２２４２号等に記載されている。
【００６３】
分光増感色素の添加は、メタノールのような有機溶媒に溶解した溶液として添加することができる。更に固体微粒子状の分散物を作製して添加することもできる。分光増感色素の添加量は、色素の種類や乳剤条件によって一様ではないが、ハロゲン化銀１モル当たり１〜９００ｍｇが好ましく、５〜４００ｍｇが特に好ましい。分光増感色素は、化学熟成工程の終了前に添加するのが好ましく、化学熟成の終了前に数回に分けて添加してもよい。更に好ましくはハロゲン化銀粒子の成長工程終了後から化学熟成工程の終了前であり、特に化学熟成開始前が好ましい。
【００６４】
本発明において、化学増感（化学熟成）を停止させるには乳剤の安定性を考慮すると化学熟成停止剤を用いることが好ましい。この化学熟成停止剤としては、ハロゲン化物（例えば、臭化カリウム、塩化ナトリウム等）、カブリ防止剤又は安定剤として知られている有機化合物（例えば、４−ヒドロキシ−６−メチル−１，３，３ａ，７−テトラザインデン）等が挙げられる。これらは単独もしくは複数の化合物を併用してもよい。
【００６５】
本発明に用いられる感光材料の乳剤は、物理熟成又は化学熟成前後の工程において、各種の写真用添加剤を用いることができる。
【００６６】
本発明に用いられる支持体は、現像処理後に所定の光学濃度を得るため、及び現像処理後の画像の変形を防ぐためにプラスチックフイルム（例えば、ポリエチレンテレフタレート、ポリカーボネート、ポリイミド、ナイロン、セルローストリアセテート、ポリエチレンナフタレート）であることが好ましい。
【００６７】
その中でも好ましい支持体としては、ポリエチレンテレフタレート（以下ＰＥＴと略す）、ポリエチレンナフタレート（以下ＰＥＮと略す）、及びシンジオタクチック構造を有するスチレン系重合体を含むプラスチック（以下ＳＰＳと略す）の支持体が挙げられる。支持体の厚みとしては５０〜３００μｍ程度が好ましく、更に好ましくは７０〜１８０μｍである。
【００６８】
また熱処理したプラスチック支持体を用いることもできる。採用するプラスチックとしては、前記のプラスチックが挙げられる。支持体の熱処理とはこれらの支持体を製膜後、感光性層が塗布されるまでの間に、支持体のガラス転移点より３０℃以上高い温度で、好ましくは３５℃以上高い温度で、更に好ましくは４０℃以上高い温度で加熱することがよい。但し、支持体の融点を超えた温度で加熱しては本発明の効果は得られない。
【００６９】
次に用いられるプラスチックについて説明する。
【００７０】
ＰＥＴはポリエステルの成分が全てポリエチレンテレフタレートからなるものであるが、ポリエチレンテレフタレート以外に、酸成分としてテレフタル酸、ナフタレン−２，６−ジカルボン酸、イソフタル酸、ブチレンジカルボン酸、５−ナトリウムスルホイソフタル酸、アジピン酸等と、グリコール成分としてエチレングリコール、プロピレングリコール、ブタンジオール、シクロヘキサンジメタノール等との変性ポリエステル成分が全ポリエステルの１０モル％以下含まれたポリエステルであってもよい。
【００７１】
ＰＥＮとしては、ポリエチレン２，６−ナフタレート、及びテレフタル酸と２，６−ナフタレンジカルボン酸とエチレングリコールからなる共重合ポリエステル、及びこれらのポリエステルの二種以上の混合物を主要な構成成分とするポリエステルが好ましい。また、更に他の共重合成分が共重合されていても良いし、他のポリエステルが混合されていても良い。
【００７２】
ＳＰＳは通常のポリスチレン（アタクチックポリスチレン）と異なり立体的に規則性を有したポリスチレンである。ＳＰＳの規則的な立体規則性構造部分をラセモ連鎖といい、２連鎖、３連鎖、５連鎖、或いはそれ以上と規則的な部分がより多くあることが好ましく、本発明において、ラセモ連鎖は、２連鎖で８５％以上、３連鎖で７５％以上、５連鎖で５０％以上、それ以上の連鎖で３０％以上であることが好ましい。ＳＰＳの重合は特開平３−１３１８４３号明細書記載の方法に準じて行うことが出来る。
【００７３】
本発明に用いられる支持体の製膜方法及び下引製造方法は公知の方法を用いることができるが、好ましくは、特開平９−５００９４号の段落〔００３０〕〜〔００７０〕に記載された方法を用いることである。
【００７４】
本発明に用いられるハロゲン化銀写真感光材料は迅速処理に適するように、該感材の塗布工程において、予め適量の硬膜剤を添加しておき、現像−定着−水洗工程での水膨潤率を調整することで乾燥開始前の感光材料中の含水量を少なくしておくことが好ましい。尚、本発明の感光材料は現像処理中の膨潤率が５０〜１５０％が好ましく、膨潤後の膜厚が２０μｍ以下が好ましい。水膨潤率が１５０％を越えると乾燥不良を生じ、例えば自動現像機処理、特に迅速処理において搬送不良も併発する、また、水膨潤率が５０％未満では現像した際に現像ムラや残色が増加する悪い傾向がある。ここで言う水膨潤率とは、各処理液中で膨潤した後の膜厚と現像処理前の膜厚との差を求め、これを処理前の膜厚で除して１００倍したものを言う。
【００７５】
本発明のハロゲン化銀写真感光材料はハロゲン化銀乳剤に更に目的に応じて種々の添加剤を添加することができる。使用される添加剤その他としては例えばＲＤ−１７６４３（１９７８年１２月）、同１８７１６（１９７９年１１月）及び同３０８１１９（１９８９年１２月）に記載されたものが挙げられる。それらの記載箇所を以下に掲載した。
【００７６】
0003780712.tif 000002
本発明に用いられるハロゲン化銀写真感光材料を現像処理する工程において、粉末処理剤や錠剤、丸薬、顆粒の如き固形処理剤などを使用しても良く、更に必要に応じ防湿加工を施したものを使用しても良い。
【００７７】
本発明において用いられる粉末とは、微粒結晶の集合体のことをいう。本発明でいう顆粒とは、粉末に造粒工程を加えたもので、粒径５０〜５０００μｍの粒状物のことをいう。本発明でいう錠剤とは、粉末又は顆粒を一定の形状に圧縮成型したもののことを言う。
【００７８】
写真性能を安定に保つためには、自動現像機中の現像液の開口係数を小さくすることが有効である。特に開口係数が５０ｃｍ2／ｌ以下が好ましい。すなわち、開口係数が５０ｃｍ2／ｌを超えると未溶解の固形処理剤や溶解した直後の濃厚な液が空気酸化を受け易くその結果、不溶物やスカムが発生し、自現機或いは処理される感材を汚染する等の問題を発生するが、開口係数が５０ｍ2／ｌ以下でこれらの問題が解決される。本発明において、前記開口係数とは、処理液単位体積当たりの空気との接触面積で表され、単位は（ｃｍ2／ｌ）である。
【００７９】
本発明においては、自動現像機の開口係数は５０ｃｍ2／ｌ以下が好ましく、更に好ましくは３０〜３ｃｍ2／ｌであり、特に好ましくは２０〜５ｃｍ2／ｌである。開口係数は一般に空気遮断する樹脂等を浮き蓋とすることで小さくしたり、また、特開昭６３−１３１１３８号、同６３−２１６０５０号、同６３−２３５９４０号に記載のスリット型現像装置によって小さくできる。
【００８０】
本発明に用いられる固形処理剤は現像剤、定着剤、安定剤等写真用処理剤に用いられる。本発明に用いられる固形処理剤はある処理剤の１部の成分のみ固形化しても良いが、好ましくは該処理剤の全成分が固形化されていることである。各成分は別々の固形処理剤として成型され、同一個装されていることが望ましい。又別々の成分が定期的に包装でくり返し投入される順番に包装されていることも望ましい。
【００８１】
本発明において固形処理剤を処理槽に供給する供給手段としては、例えば、固形処理剤が錠剤である場合、実開昭６３−１３７７８３号公報、同６３−９７５２２号公報、実開平１−８５７３２号公報等公知の方法があるが要は錠剤を処理槽に供給する機能が最低限付与されていればいかなる方法でも良い。
【００８２】
また、固形処理剤が顆粒又は粉末である場合には実開昭６２−８１９６４号、同６３−８４１５１号、特開平１−２９２３７５号記載の重力落下方式や実開昭６３−１０５１５９号、同６３−１９５３４５号等記載のスクリュー又はネジによる方式が公知の方法としてあるがこれらに限定されない。
【００８３】
また、現像剤中には、現像主薬として特開平６−１３８５９１号（１９〜２０頁）記載のジヒドロキシベンゼン類、アミノフェノール類、ピラゾリドン類の他に特開平５−１６５１６１号記載のレダクトン類も好ましく用いられる。使用されるピラゾリドン類のうち特に４位が置換されたもの（ジメゾン、ジメゾンＳ等）は水溶性や固形処理剤自身の経時による変化が少なく特に好ましい。保恒剤として亜硫酸塩の他、有機還元剤を保恒剤として用いることができる。その他にキレート剤や硬膜剤の重亜硫酸塩付加物を添加することができる。また銀スラッジ防止剤として特開平５−２８９２５５号、特開平６−３０８６８０号（一般式［４−ａ］［４−ｂ］）記載の化合物を添加することも好ましい。
【００８４】
シクロデキストリン化合物の添加も好ましく、特開平１−１２４８５３号記載の化合物が特に好ましい。現像剤にアミン化合物を添加することもでき、米国特許第４，２６９，９２９号記載の化合物が特に好ましい。
【００８５】
現像剤には、緩衝剤を用いることが必要で、緩衝剤としては、炭酸ナトリウム、炭酸カリウム、重炭酸ナトリウム、重炭酸カリウム、リン酸三ナトリウム、リン酸三カリウム、リン酸二カリウム、ホウ酸ナトリウム、ホウ酸カリウム、四ホウ酸ナトリウム、四ホウ酸カリウム、ｏ−ヒドロキシ安息香酸ナトリウム、ｏ−ヒドロキシ安息香酸カリウム、５−スルホ−２−ヒドロキシ安息香酸ナトリウム（５−スルホサリチル酸ナトリウム）、５−スルホ−２−ヒドロキシ安息香酸カリウム等を挙げることができる。
【００８６】
現像促進剤としては、特公昭３７−１６０８８号、同３７−５９８７号、同３８−７８２６号、同４４−１２３８０号、同４５−９０１９号及び米国特許第３，８１３，２４７号等に記載のチオエーテル系化合物、特開昭５２−４９８２９号及び同５０−１５５５４号等に記載のｐ−フェニレンジアミン系化合物、特開昭５０−１３７７２６号、特公昭４４−３００７４号、特開昭５６−１５６８２６号及び同５２−４３４２９号等に記載の４級アンモニウム塩類、米国特許第２，６１０，１２２号及び同４，１１９，４６２号記載のｐ−アミノフェノール類、米国特許第２，４９４，９０３号、同３，１２８，１８２号、同４，２３０，７９６号、同３，２５３，９１９号、特公昭４１−１１４３１号、米国特許第２，４８２，５４６号、同２，５９６，９２６号及び同３，５８２，３４６号等に記載のアミン系化合物、特公昭３７−１６０８８号、同４２−２５２０１号、米国特許第３，１２８，１８３号、特公昭４１−１１４３１号、同４２−２３８８３号及び米国特許第３，５３２，５０１号等に記載のポリアルキレンオキサイド、その他１−フェニル−３−ピラゾリドン類、ヒドラジン類、メソイオン型化合物、イミダゾール類等を必要に応じて添加することができる。
【００８７】
カブリ防止剤としては、臭化カリウムの如きアルカリ金属ハロゲン化物及び有機カブリ防止剤が使用できる。有機カブリ防止剤としては、例えば、ベンゾトリアゾール、６−ニトロベンズイミダゾール、５−ニトロイソインダゾール、５−メチルベンゾトリアゾール、５−ニトロベンゾトリアゾール、５−クロロベンゾトリアゾール、２−チアゾリルベンズイミダゾール、２−チアゾリルメチルベンズイミダゾール、インダゾール、ヒドロキシアザインドリジン、アデニン、１−フェニル−５−メルカプトテトラゾール等を例として挙げることができる。更に、現像剤組成物には、必要に応じて、メチルセロソルブ、メタノール、アセトン、ジメチルホルムアミド、シクロデキストリン化合物、その他特公昭４７−３３３７８号、同４４−９５０９号各公報記載の化合物を現像主薬の溶解度を上げるための有機溶剤として使用することができる。更にまた、その他ステイン防止剤、スラッジ防止剤等各種添加剤を用いることができる。
【００８８】
処理に先立ち、スタータを添加することも好ましく、スタータを固形化して添加することも好ましい、スタータとしてはポリカルボン酸化合物の如き有機酸の他にＫＢｒの如きアルカリ金属のハロゲン化物や有機抑制剤、現像促進剤が用いられる。
【００８９】
スタータにより調整された現像液のｐＨは９〜１２の範囲が好ましく、更に好ましくは、９．５〜１０．５の範囲である。現像温度としては２０〜６０℃、好ましくは３０〜４５℃である。
【００９０】
次に本発明に用いられる定着液について説明する。定着液としては、チオ硫酸塩を含有することが好ましい。チオ硫酸塩は、通常、リチウム、カリウム、ナトリウム、アンモニウム塩として用いられるが、好ましくはチオ硫酸ナトリウム、チオ硫酸アンモニウムである。アンモニウム塩として用いることにより定着速度の速い定着液が得られるが、保存性等の点からはナトリウム塩が好ましい。チオ硫酸塩の濃度は好ましくは０．１〜５モル／リットルであり、より好ましくは０．５〜２モル／リットル、更に好ましくは０．７〜１．８モル／リットルである。
【００９１】
その他、定着剤として沃化物塩やチオシアン酸塩等も用いることができる。定着液は好ましくは亜硫酸塩を含有し、該亜硫酸塩の濃度は、チオ硫酸塩と亜硫酸塩の水系溶媒に対する溶解混合時において、０．２モル／リットル以下である。
【００９２】
亜硫酸塩としては、固体のリチウム、カリウム、ナトリウム、アンモニウム塩等が用いられ、前記の固体チオ硫酸塩と共に溶解して用いられる。本発明に用いられる定着液は、水溶性クロム塩又は水溶性アルミニウム塩等を含有してもよい。水溶性クロム塩としてはクロム明ばん等が挙げられ、水溶性アルミニウム塩としては、硫酸アルミニウム、塩化アルミニウムカリウム、塩化アルミニウム等を挙げることができる。これら、クロム塩又はアルミニウム塩の添加量は定着液１リットル当たり０．２〜３．０ｇで、好ましくは１．２〜２．５ｇである。また定着剤には、酢酸、クエン酸、酒石酸、リンゴ酸、琥珀酸、フェニル酢酸及びこれらの光学異性体等が含まれてもよい。これらの塩としては、例えば、クエン酸カリウム、クエン酸リチウム、クエン酸ナトリウム、クエン酸アンモニウム、酒石酸水素リチウム、酒石酸水素カリウム、酒石酸カリウム、酒石酸水素ナトリウム、酒石酸ナトリウム、酒石酸水素アンモニウム、酒石酸アンモニウムカリウム、酒石酸ナトリウムカリウム、リンゴ酸ナトリウム、リンゴ酸アンモニウム、琥珀酸ナトリウム、琥珀酸アンモニウム等に代表されるリチウム、カリウム、ナトリウム、アンモニウム塩等が好ましいものとして挙げられる。上記化合物の中でより好ましいものとしては、酢酸、クエン酸、イソクエン酸、リンゴ酸、フェニル酢酸及びこれらの塩である。化合物の添加量は０．２〜０．６モル／リットルが好ましい。酸としては、例えば、硫酸、塩酸、硝酸、ホウ酸のような無機酸及び塩や、蟻酸、プロピオン酸、シュウ酸、リンゴ酸等の有機酸類等が挙げられるが、好ましくは、ホウ酸、アミノポリカルボン酸類等の酸及び塩である。アミノカルボン酸で特に好ましいものはβ−アラニン、ピペリジン酸等がある。酸の好ましい添加量は０．５〜４０ｇ／リットルである。キレート剤としては、例えば、ニトリロ三酢酸、エチレンジアミン四酢酸等のアミノポリカルボン酸類及びこれらの塩等が挙げられる。界面活性剤としては、例えば、硫酸エステル化物、スルホン化物等のアニオン界面活性剤、ポリエチレングリコール系、エステル系等のノニオン界面活性剤、特開昭５７−６８４０号記載の両性界面活性剤等が挙げられる。湿潤剤としては、例えば、アルカノールアミン、アルキレングリコール等が挙げられる。定着促進剤としては、例えば、特開昭４５−３５７５４号、特公昭５８−１２２５３５号、同５８−１２２５３６号記載のチオ尿素誘導体、分子内に三重結合を有するアルコール、米国特許第４，１２６，４５９号記載のチオエーテル等が挙げられる。定着液の溶解或いは希釈後のｐＨは通常３．８以上が好ましく、更に好ましくは４．２〜５．５である。定着温度としては２０〜６０℃が好ましく、更に好ましくは３０〜４５℃である。
【００９３】
現像時間は３〜９０秒が好ましく、更に好ましくは５〜６０秒であり、定着時間は３〜９０秒が好ましく、更に好ましくは５〜６０秒である。現像、定着、水洗、乾燥を含む全処理時間はＤｒｙ  ｔｏ  Ｄｒｙで１５〜２１０秒が好ましく、更に好ましくは１５〜９０秒である。
【００９４】
本発明のＸ線画像形成方法に用いられるＸ線画像情報検出装置の検出用デバイスとして具体的には、２次元的に配列された複数のコンデンサを用い、照射されたＸ線の強度に応じて光導電層に生成した電荷を蓄積するようにした。
【００９５】
更に本発明においては、検出用デバイスを他の物に替えて構成したＸ線画像情報検出装置も用いることが出来る。例えば、Ｘ線の強度分布を増感紙などのシンチレータの蛍光強度分布に変換し、その蛍光強度分布を２次元に配列された複数のフォトダイオードで検出してＸ線画像情報を得ることも出来る。
【００９６】
また、スイッチング素子として具体的には図２のトランジスタ２９で説明したが、トランジスタの代わりにダイオードを用いることもできる。
【００９７】
【実施例】
以下、実施例により本発明を更に詳細に説明するが本発明はこれらに限定されない。
【００９８】
実施例１
《感光材料の調製》
平均粒径０．１μｍの臭化銀の種乳剤を用いて、２．５Ｎアンモニア性硝酸銀水溶液とＫ2ＩｒＣｌ6を２．４×１０-6ｍｏｌ／ｌ含む２．４Ｎ臭化カリウムと沃化カリウムの混合水溶液（ハロゲン組成；Ｂｒ／Ｉ＝９９．９／０．１）をダブルジェット法で添加し、平均粒径０．２５μｍの立方晶単分散乳剤を成長させた。なお、粒子成長の際のｐＡｇは（１００）面が９９％以上になるようにｐＡｇを８．１以下の値で適宜に調整した。
【００９９】
添加終了後、ｐＨを６．０に合わせた後、花王アトラス社製デモールＮ水溶液及び硫酸マグネシウム水溶液を用いて沈澱脱塩、水洗を行なった。更にオセインゼラチン２３ｇを用いて、水洗を行った上記乳剤を再分散した。乳剤は５０℃における電位が５０ｍＶ、ｐＨは５．８５であった。得られた粒子２００個を任意に選び、電子顕微鏡で粒径を測定し、粒径の変動係数を求めたところ、０．０８であった。この乳剤をＥ１とする。
【０１００】
上記Ｅ１を調製する処方に対し、種乳剤の量を変化する以外はＥ１と同様にして乳剤を調製しＥ２、Ｅ３の乳剤を得た。Ｅ２、Ｅ３の乳剤は平均粒径がそれぞれ０．２８μｍ、０．３１μｍである以外は、Ｅ１と同様に調製した。
【０１０１】
上記のようにして調製した乳剤に、下記分光増感色素を添加してから、銀１モル当たりＮＨ4ＳＣＮの１％水溶液；５．２ｍｌ、ＨＡｕＣｌ4の０．２％水溶液；０．７８ｍｌ、Ｎａ2Ｓ2Ｏ3の０．２５％水溶液；５．６ｍｌ、トリフェニルフォスフィンセレナイドの０．４％水溶液；３．５ｍｌからなる化学増感剤を添加し５０℃で化学熟成を行った。カブリの上昇が０．０２になった時点でＫＢｒを銀１モル当たり３００ｍｇ添加し、更にアザインデン（４−ヒドロキシ−６−メチル−１，３，３ａ，７−テトラザインデン）を銀１モルあたり２．４モル添加し、温度を下げ化学熟成を停止した。
【０１０２】
【化１】
0003780712.tif 000003
【０１０３】
上記で調製した乳剤塗布液には銀１モル当たり下記の化合物を添加し、乳剤の塗布液とし、感光材料１を作製した。次いで、乳剤Ｅ１、Ｅ２及びＥ３の混合比率を表１のように替えた以外は、感光材料１と同様にして感光材料２〜６を作製した。
【０１０４】
但し、感光材料５及び６については、１−フェニル−５−メルカプトテトラゾールの量を各々、増量し、下記の表１に示すガンマ値（γ１及びγ２）になるように調整した。
【０１０５】
《乳剤塗布液》
１−フェニル−５−メルカプトテトラゾール                  １０ｍｇ
１−トリメチロールプロパン                                  １４ｇ
ｔ−ブチルカテコール                                      ６８ｍｇ
ポリビニルピロリドン（分子量１０，０００）              ８５０ｍｇ
スチレン−無水マレイン酸共重合体                          ２．０ｇ
ニトロフェニル−トリフェニル−ホスホニウムクロリド        ５０ｍｇ
１，３−ジヒドロキシベンゼン−４−スルホン酸アンモニウム  １．７ｇ
１，１−ジメチロール−１−ブロム−１−ニトロメタン      ６．２ｍｇ
ｎ−Ｃ4Ｈ9ＯＣＨ2ＣＨ（ＯＨ）ＣＨ2Ｎ（ＣＨ2ＣＯＯＨ）2  ７００ｍｇ
【０１０６】
【化２】
0003780712.tif 000004
【０１０７】
また乳剤の保護層液に用いた添加剤は次のとおりである。添加量はゼラチン１ｇ当たりの量で示す。
【０１０８】
（乳剤保護層塗布液）
平均粒径５μｍのポリメチルメタクリレートからなるマット剤  ２１ｍｇ
平均粒径３μｍのポリメチルメタクリレートからなるマット剤  ２８ｍｇ
【０１０９】
【化３】
0003780712.tif 000005
【０１１０】
【化４】
0003780712.tif 000006
【０１１１】
《バッキング層塗布液》
ゼラチン                                                  １００ｇ
下記のハレーション防止染料                                    ４ｇ
硝酸カリウム                                                  １ｇ
グリオキザール                                                ２ｇ
水                                                    １４００ｍｌ
【０１１２】
【化５】
0003780712.tif 000007
【０１１３】
（バッキング保護層塗布液）
ゼラチン                                                  １００ｇ
平均粒径６μｍのポリメチルメタクリレートからなるマット剤      ３ｇ
Ｃ13Ｈ27ＣＯＮＨ（ＣＨ2ＣＨ2Ｏ）5Ｈ                         １０ｇ
硬膜剤Ｈ                                                    ４０ｇ
上記の乳剤層及び乳剤保護層塗布液、バッキング層及びバッキング保護層塗布液を下引き済みのベース上に同時塗布した。なお銀付き量は２．０ｇ／ｍ2、乳剤層側のゼラチン付き量は乳剤層が１．５ｇ／ｍ2、乳剤保護膜層が０．５ｇ／ｍ2とした。またバッキング層のゼラチン付き量はバッキング層が１．５ｇ／ｍ2、バッキング保護層が０．５ｇ／ｍ2である。
【０１１４】
得られたハロゲン化銀写真感光材料を以下に示す現像液、定着液を用いて処理を行い評価した。
【０１１５】
0003780712.tif 000008
【０１１６】
【化６】
0003780712.tif 000009
【０１１７】
水を加えて１リットルとし、水酸化カリウムでｐＨ１０．０に調整する。
【０１１８】
定着液の組成を下記に示す。
【０１１９】
〈定着液〉
チオ硫酸アンモニウム                                  １３０．０ｇ
チオ硫酸ナトリウム                                      １５．０ｇ
亜硫酸ナトリウム                                        １０．０ｇ
酢酸ナトリウム                                          ３０．０ｇ
琥珀酸                                                  １０．５ｇ
酒石酸                                                    ２．５ｇ
硫酸アルミニウム（８水塩）                              １５．０ｇ
Ｄ−マンニット                                          １５．０ｇ
Ｄ−ソルビット                                            ９．０ｇ
水を加えて１リットルとし、水酸化ナトリウムでｐＨ４．６０に調整する。
【０１２０】
現像液、定着液の補充量は、現像液が現像主薬の補充量に換算して５０ミリモル／ｍ2、定着液が定着剤の補充量に換算して１５０ミリモル／ｍ2と設定した。
【０１２１】
《ガンマの評価》
７８０ｎｍの波長の半導体レーザを光源とするレーザスキャナを用いて露光エネルギーをステップ状態に変化させて露光後、下記条件で現像処理しガンマを測定した。
【０１２２】
【表１】
0003780712.tif 000010
【０１２３】
試料１、２、３、４、５及び６に対し各々、前述のフラットパネルディテクタ（ＦＰＤ）で得たＸ線画像情報（初期の肺ガンによるスリガラス状陰影が存在する患者さんの胸部画像）をレーザスキャナで露光し、前述の処理液をいれたコニカ（株）製自動現像機ＴＣＸ−７０１を用いて、現像温度３５度、定着温度３４℃で４５秒処理を行った。同じ患者さんの同じ部位の、胸部Ｘ線画像（被爆線量をそろえる）をコニカ（株）製レジウス３３０（輝尽性蛍光体プレートを用いた従来のＸ線画像形成システム）でＸ線画像を入力し、試料Ｎｏ．１〜６のフィルムに同様に露光し、スリガラス状陰影の検出能を５段階評価した。ランク５は最もよく検出できるレベルを示し、ランク１は全くわからないレベルを示す。
【０１２４】
なお、上記記載の評価は、臨床経験が１０年以上の４名の医師及び４名の技師により実施し、８名の評価の平均値で表した。
【０１２５】
【表２】
0003780712.tif 000011
【０１２６】
表２から明らかなように、フラットパネルディテクタを使用し、本発明の特性曲線を示す画像形成方法を用いて得られたＸ線画像の方が診断能が明らかに向上していることがわかる。
【０１２７】
【発明の効果】
本発明により再撮影などの患者さんの負荷を低減でき、かつ初期の肺ガンにみられるスリガラス状の陰影の検出力が高いＸ線写真画像の形成方法を提供することが出来た。
【図面の簡単な説明】
【図１】Ｘ線画像形成システムの概略構成図である。
【図２】フラットパネルディテクタ（ＦＰＤ）を示す概略断面図である。
【図３】フラットパネルディテクタ（ＦＰＤ）を示す概略平面図である。
【符号の説明】
１  Ｘ線管
２  フラットパネルディテクタ
３  画像処理部
４  ネットワーク
５  ＣＲＴディスプレイ
６  レーザイメージャ
【図１】
0003780712.tif 000012
【図２】
0003780712.tif 000013
【図３】
0003780712.tif 000014